(57)【要約】本発明の筌は、少なくとも１つの入口が形成される筌網と、前記筌網を支持する少なくとも１つ以上のフレームと、前記筌網の入口から前記フレームの内部方向に延長して形成されて、誘引口を含む少なくとも１つの誘引部と、隔離された空間を形成して、前記少なくとも１つの誘引部の誘引口を通過した魚類が通過する少なくとも１つの魚類通過孔が設けられた脱出防止部とを含む。【選択図】図２１
2017528161.tif 000002
【特許請求の範囲】
【請求項１】
魚類の捕獲に用いられる筌であって、
少なくとも１つの入口が形成される筌網と、
前記筌網を支持する少なくとも１つ以上のフレームと、
前記筌網の前記入口から前記フレームの内部方向に延長して形成され、誘引口を含む少なくとも１つの誘引部と、
隔離された空間を形成し、前記少なくとも１つの誘引部の前記誘引口を通過した魚類が通過する少なくとも１つの魚類通過孔が設けられる脱出防止部と
を含む筌。
【請求項２】
前記脱出防止部は、前記誘引部と一定の距離だけ離隔される、請求項１に記載の筌。
【請求項３】
前記誘引部と前記脱出防止部は、前記筌網にそれぞれ少なくとも１つ以上の連結部材により位置固定される、請求項１に記載の筌。
【請求項４】
前記誘引部は、前記入口より狭い誘引口を有する、請求項１に記載の筌。
【請求項５】
前記脱出防止部は、前記魚類通過孔を通して流入した魚類が排出される少なくとも１つ以上の出口をさらに含む、請求項１に記載の筌。
【請求項６】
前記脱出防止部は、前記誘引部の一部を包み込むように形成される、請求項１に記載の筌。
【請求項７】
前記フレームは、
上側に配置される第１フレームと、
前記第１フレームと一定の距離だけ離隔して配置される第２フレームと
を含み、
前記筌網は、前記第１及び第２フレームに結合されて前記筌の上部面と下部面及び側壁を形成する、請求項１に記載の筌。
【請求項８】
前記第１及び第２フレームは、互いに対応する大きさ及び形状で形成される、請求項７に記載の筌。
【請求項９】
前記第１及び第２フレームは、互いに異なる大きさ及び形状で形成される、請求項７に記載の筌。
【請求項１０】
前記第１フレームより前記第２フレームがさらに大きく形成される、請求項７に記載の筌。
【請求項１１】
前記第１及び第２フレームは、円形及び多角形のうちいずれか１つで形成される、請求項７に記載の筌。
【請求項１２】
前記筌網は、互いに向かい合う一側及び他側に一対の入口が形成されて、前記誘引部は一対が互いに向かい合うように配置される、請求項１に記載の筌。
【請求項１３】
前記フレームは、
互いに向かい合うように配置される第１及び第２フレームと、
前記第１及び第２フレームの内側に一定の距離だけ離隔された状態で互いに向かい合うように配置され、前記第１及び第２フレームより小さく形成される第３及び第４フレームと、
一端は前記第１フレームと連結され、他端は前記第２フレームと連結されて前記第１及び第２フレームを互いに遠くなる方向に加圧するコイルフレームと
を含む、請求項１に記載の筌。
【請求項１４】
前記筌網は、
一端は前記第１フレームと結合され、他端は前記第２フレームと連結される第１筌網と、
一端は前記第１フレームと結合され、他端は前記第３フレームと連結される第２筌網と、
一端は前記第２フレームと結合され、他端は前記第４フレームと連結される第３筌網と、
一端は前記第３フレームと連結され、他端は前記第４フレームと連結され、中央付近に切開されて、前記筌の展開時に切開された部分が密着した魚類流入口が形成される第４筌網と
を含む、請求項１３に記載の筌。
【請求項１５】
前記脱出防止部は、一端は前記第２筌網と連結され、他端は前記第３筌網と連結されて、前記第２及び第３筌網の一部と前記第４筌網の全体の周りを包み込む、請求項１４に記載の筌。
【請求項１６】
前記第２筌網と結合される第５フレームと、
前記第３筌網と結合される第６フレームと
をさらに含み、
前記脱出防止部の一端は前記第５フレームと結合され、他端は前記第６フレームに結合される、請求項１４に記載の筌。
【請求項１７】
前記第５及び第６フレームは、前記第１及び第２フレームよりは小さく、前記第３及び第４フレーム以上の大きい幅を有し、互いに向かい合うように配置される、請求項１６に記載の筌。
【請求項１８】
前記出口は、円形、楕円形、多角形のうちいずれか１つの形状である、請求項５に記載の筌。
【請求項１９】
前記出口は、前記脱出防止部に少なくとも３つ以上貫通して形成される、請求項５に記載の筌。
【請求項２０】
前記出口は、それぞれの中心を連結した仮想の延長線が前記脱出防止部の中心を通過する仮想の延長線と平行に配置される、請求項１９に記載の筌。
【請求項２１】
前記出口は、それぞれの中心を連結した仮想の延長線が前記脱出防止部の中心を通過する仮想の延長線と一定の角度を形成するように配置される、請求項１９に記載の筌。
【請求項２２】
前記出口と一定の距離だけ離隔され、前記出口と前記フレームに結合された前記筌網との間に配置されて前記筌の内部の空間を仕切る少なくとも１つ以上の隔膜筌網をさらに含む、請求項５に記載の筌。
【請求項２３】
前記隔膜筌網は、少なくとも１つ以上の魚類通過孔を備える、請求項２２に記載の筌。
【請求項２４】
前記隔膜筌網は、
前記出口と近接した位置に配置されて第１魚類貯蔵部を形成し、少なくとも１つ以上の第１魚類通過孔を有する第１隔膜筌網と、
前記第１隔膜筌網と離隔して配置されて前記第１隔膜筌網と共に第２魚類貯蔵部を形成し、少なくとも１つ以上の第２魚類通過孔を形成する第２隔膜筌網と
を含む、請求項２２に記載の筌。
【請求項２５】
前記第１魚類通過孔は、前記第２魚類通過孔より大きく形成される、請求項２４に記載の筌。
【請求項２６】
前記第１筌網と前記脱出防止部との間に介在する少なくとも１つ以上の隔膜筌網をさらに含む、請求項１４に記載の筌。
【請求項２７】
前記隔膜筌網は、
前記脱出防止部と近接した位置に配置され、第１魚類通過孔を有する第１隔膜筌網と、
前記第１筌網と近接した位置に配置され、第２魚類通過孔を有する第２隔膜筌網と
を含み、
前記第１魚類通過孔が前記第２魚類通過孔より大きく形成される、請求項２６に記載の筌。
【請求項２８】
前記脱出防止部、前記第１隔膜筌網、前記第２及び第３筌網で形成される第１魚類貯蔵部と、
前記第１及び第２隔膜筌網、前記第２及び第３筌網で形成される第２魚類貯蔵部と、
前記第１筌網、前記第２隔膜筌網、前記第２及び第３筌網で形成される第３魚類貯蔵部とを含む、請求項２７に記載の筌。
【請求項２９】
前記第２及び第３魚類貯蔵部には、内部空間を分割する第１及び第２仕切膜が形成される、請求項２８に記載の筌。
【請求項３０】
前記第１及び第２仕切膜は、捕獲された魚類が通過する第１及び第２通過孔をさらに含む、請求項２９に記載の筌。
【請求項３１】
前記第１通過孔は、前記第２通過孔より大きく形成される、請求項３０に記載の筌。
【請求項３２】
前記筌網により形成される内部空間部を開閉する少なくとも１つ以上のドアユニットをさらに含み、
前記ドアユニットは、
前記筌網に結合されるドアフレームと、
前記ドアフレームに開閉可能に設けられ、中央が網で形成されるドア部材と、
前記ドアフレームと前記ドア部材の開閉動作を規制するロッカーと、
前記ドア部材と一端が連結され、他端は前記フレームと連結されて、前記ドア部材の閉鎖位置でぴんと張られて張力が印加されるひも部材と
を含み、
前記ひも部材の張力が解除された場合、前記ドア部材が開放される、請求項１に記載の筌。
【請求項３３】
前記第１ないし第３魚類貯蔵部の内部空間部を選択的に開閉するドアユニットをさらに含み、
前記ドアユニットは、
前記筌網に結合されるドアフレームと、
前記ドアフレームに開閉可能に設けられ、中央が網で形成されるドア部材と、
前記ドアフレームと前記ドア部材の開閉動作を規制するロッカーと、
前記ドア部材と一端が連結され、他端は前記フレームと連結されて、前記ドア部材の閉鎖位置でぴんと張られて張力が印加されるひも部材と
を含み、
前記ひも部材の張力が解除された場合、前記ドア部材が開放される、請求項２８に記載の筌。
【請求項３４】
前記ドアユニットの内側に設けられて、前記第１ないし第３魚類貯蔵部の内部空間を個別的に開閉する補助ドアユニットをさらに含み、
前記補助ドアユニットは、
前記第２及び第３筌網のうちのいずれか１個所の前記第１魚類貯蔵部側に設けられる第１補助ドアユニットと、
前記第２及び第３筌網のうちのいずれか１個所の前記第２魚類貯蔵部側に設けられる第２補助ドアユニットと、
前記第２及び第３筌網のうちのいずれか１個所の前記第３魚類貯蔵部側に設けられる第３補助ドアユニットと
を含む、請求項３３に記載の筌。
【請求項３５】
前記第１補助ドアユニットは、
中央に第１魚類排出孔が形成される第１ドアフレームと、
前記第１ドアフレームに開閉可能に設けられる第１ドア部材と、
前記第１ドアフレームと前記第１ドア部材の開閉動作を規制する第１ロッカーと
を含む、請求項３４に記載の筌。
【請求項３６】
前記第２補助ドアユニットは、
中央に第２魚類排出孔が形成される第２ドアフレームと、
前記第２ドアフレームに開閉可能に設けられる第２ドア部材と、
前記第２ドアフレームと前記第２ドア部材の開閉動作を規制する第２ロッカーと
を含む、請求項３５に記載の筌。
【請求項３７】
前記第３補助ドアユニットは、
中央に第３魚類排出孔が形成される第３ドアフレームと、
前記第３ドアフレームに開閉可能に設けられる第３ドア部材と、
前記第３ドアフレームと前記第３ドア部材の開閉動作を規制する第３ロッカーと
を含む、請求項３６に記載の筌。
【請求項３８】
魚類が流入する入口から前記筌の内側の間に結合される異物防止ユニットをさらに含む、請求項１ないし請求項３７のいずれか１項に記載の筌。
【請求項３９】
前記フレームは、
互いに向かい合うように配置される第１及び第２フレームと、
前記第１及び第２フレームの内側に一定の距離だけ離隔された状態で互いに向かい合うように配置され、前記第１及び第２フレームより小さく形成される第３及び第４フレームと
を含み、
前記異物防止ユニットは、
前記第１フレームから前記第３フレームの間に、
前記第２フレームから前記第４フレームの間に、
それぞれ結合される、第１及び第２異物防止ユニットを含む、請求項３８に記載の筌。
【請求項４０】
前記第１異物防止ユニットは、
前記第１フレームよりは小さく形成される第１異物防止フレームと、
前記第１異物防止フレームに結合される第１異物防止筌網と
を含み、
前記第２異物防止ユニットは、
前記第２フレームよりは小さく形成される第２異物防止フレームと、
前記第２異物防止フレームに結合される第２異物防止筌網と
を含む、請求項３９に記載の筌。
【請求項４１】
前記第１異物防止フレームは、前記第１フレームから前記第３フレームの間に少なくとも１つ以上の連結部材で連結され、
前記第２異物防止フレームは、前記第２フレームから前記第４フレームの間に少なくとも１つ以上の連結部材で連結される、請求項４０に記載の筌。
【請求項４２】
前記第１及び第２異物防止ユニットのうち少なくとも１個所に設けられる餌袋をさらに含む、請求項４０に記載の筌。
【請求項４３】
前記餌袋は、前記第１または第２異物防止筌網と一体に構成されて、前記第１または第２異物防止筌網の一部を縛って形成する、請求項４２に記載の筌。
【請求項４４】
前記第１及び第２フレームのうちのいずれか１個所に少なくとも１つ以上設けられる固定ユニットを含む、請求項１３に記載の筌。
【請求項４５】
前記第１ないし第３筌網は一体に構成される、請求項１４に記載の筌。
【請求項４６】
前記第３及び第４フレームを連結する少なくとも１つ以上のひも(ｓｔｒｉｎｇ)をさらに含み、
前記ひもは前記第４筌網の前記魚類流入口の付近で、前記第４筌網と連結される、請求項１４に記載の筌。
【請求項４７】
互いに向かい合うように配置される第１及び第２フレームと、
前記第１及び第２フレームの内側に一定の距離だけ離隔された状態で互いに向かい合うように配置され、前記第１及び第２フレームより小さく形成される第３及び第４フレームと、
一端は前記第１フレームと連結され、他端は前記第２フレームと連結されて前記第１及び第２フレームを互いに遠くなる方向に加圧するコイルフレームと、
一端は前記第１フレームと結合され、他端は前記第２フレームと連結される第１筌網と、
一端は前記第１フレームと結合され、他端は前記第３フレームと連結される第２筌網と、
一端は前記第２フレームと結合され、他端は前記第４フレームと連結される第３筌網と、
一端は前記第３フレームと連結され、他端は前記第４フレームと連結され、中央付近に切開されて、筌の展開時に切開された部分が密着した魚類流入口が形成される第４筌網と、
前記第１筌網と前記第４筌網との間に介在する少なくとも１つ以上の隔膜筌網と
を含む筌。
【請求項４８】
前記隔膜筌網は、
前記第４筌網と近接した位置に配置され、第１魚類通過孔を有する第１隔膜筌網と、
前記第１筌網と近接した位置に配置され、第２魚類通過孔を有する第２隔膜筌網と
を含み、
前記第１魚類通過孔が前記第２魚類通過孔より大きく形成される、請求項４７に記載の筌。
【請求項４９】
前記第４筌網、前記第１隔膜筌網、前記第２及び第３筌網で形成される第１魚類貯蔵部と、
前記第１及び第２隔膜筌網、前記第２及び第３筌網で形成される第２魚類貯蔵部と、
前記第１筌網、前記第２隔膜筌網、前記第２及び第３筌網で形成される第３魚類貯蔵部と
を含む、請求項４８に記載の筌。
【請求項５０】
前記第２及び第３筌網のうちのいずれか１個所の前記第１魚類貯蔵部側に設けられる第１補助ドアユニットと、
前記第２及び第３筌網のうちのいずれか１個所の前記第２魚類貯蔵部側に設けられる第２補助ドアユニットと、
前記第２及び第３筌網のうちのいずれか１個所の前記第３魚類貯蔵部側に設けられる第３補助ドアユニットと、
前記第１ないし第３補助ドアユニット全体を覆うように設けられるドアユニットと
を含む、請求項４９に記載の筌。
【請求項５１】
前記第１補助ドアユニットは、
中央に第１魚類排出孔が形成される第１ドアフレームと、
前記第１ドアフレームに開閉可能に設けられる第１ドア部材と、
前記第１ドアフレームと前記第１ドア部材の開閉動作を規制する第１ロッカーと
を含み、
前記第２補助ドアユニットは、
中央に第２魚類排出孔が形成される第２ドアフレームと、
前記第２ドアフレームに開閉可能に設けられる第２ドア部材と、
前記第２ドアフレームと前記第２ドア部材の開閉動作を規制する第２ロッカーと
を含み、
前記第３補助ドアユニットは、
中央に第３魚類排出孔が形成される第３ドアフレームと、
前記第３ドアフレームに開閉可能に設けられる第３ドア部材と、
前記第３ドアフレームと前記第３ドア部材の開閉動作を規制する第３ロッカーと
を含む、請求項５０に記載の筌。
【請求項５２】
互いに向かい合うように配置される第１及び第２フレームと、
前記第１及び第２フレームの内側に一定の距離だけ離隔された状態で互いに向かい合うように配置され、前記第１及び第２フレームより小さく形成される第３及び第４フレームと、
一端は前記第１フレームと連結され、他端は前記第２フレームと連結されて前記第１及び第２フレームを互いに遠くなる方向に加圧するコイルフレームと、
一端は前記第１フレームと結合され、他端は前記第２フレームと連結される第１筌網と、
一端は前記第１フレームと結合され、他端は前記第３フレームと連結される第２筌網と、
一端は前記第２フレームと結合され、他端は前記第４フレームと連結される第３筌網と、
一端は前記第３フレームと連結され、他端は前記第４フレームと連結され、中央付近に切開されて、前記筌の展開時に切開された部分が密着した魚類流入口が形成される第４筌網と、
前記第２及び第３筌網のうち少なくとも１個所に設けられるドアユニットと
を含む筌。
【請求項５３】
前記ドアユニットは
中央に魚類排出孔が形成されるドアフレームと、
前記ドアフレームに開閉可能に設けられるドア部材と、
前記ドアフレームと前記ドア部材の開閉動作を規制するロッカーと
を含む、請求項５２に記載の筌。
【請求項５４】
前記ドアユニットは、一端は前記ドア部材と連結され、他端は前記第１及び第２フレームのうち前記ドアユニットが設けられていない反対側のフレームに連結されるひも（ｓｔｒｉｎｇ）をさらに含み、前記ひもの長さは前記筌の全長と対応する、請求項５３に記載の筌。
【請求項５５】
互いに向かい合うように配置される第１及び第２フレームと、
前記第１及び第２フレームの内側に一定の距離だけ離隔された状態で互いに向かい合うように配置され、前記第１及び第２フレームより小さく形成される第３及び第４フレームと、
一端は前記第１フレームと連結され、他端は前記第２フレームと連結されて前記第１及び第２フレームを互いに遠くなる方向に加圧するコイルフレームと、
一端は前記第１フレームと結合され、他端は前記第２フレームと連結される第１筌網と、
一端は前記第１フレームと結合され、他端は前記第３フレームと連結される第２筌網と、
一端は前記第２フレームと結合され、他端は前記第４フレームと連結される第３筌網と、
一端は前記第３フレームと連結され、他端は前記第４フレームと連結され、中央付近に切開されて、前記筌の展開時に切開された部分が密着した魚類流入口が形成される第４筌網と、
前記第１フレームから前記第３フレームの間に、前記第２フレームから前記第４フレームの間に、それぞれ結合される第１及び第２異物防止ユニットと
を含む筌。
【請求項５６】
前記第１異物防止ユニットは、
前記第１フレームよりは小さく形成される第１異物防止フレームと、
前記第１異物防止フレームに結合される第１異物防止筌網と
を含み、
前記第２異物防止ユニットは、
前記第２フレームよりは小さく形成される第２異物防止フレームと、
前記第２異物防止フレームに結合される第２異物防止筌網と
を含む、請求項５５に記載の筌。
【請求項５７】
前記第１異物防止フレームは、前記第１フレームから前記第３フレームの間に少なくとも１つ以上の連結部材で連結され、
前記第２異物防止フレームは、前記第２フレームから前記第４フレームの間に少なくとも１つ以上の連結部材で連結される、請求項５６に記載の筌。
【請求項５８】
前記第１及び第２異物防止ユニットのうち少なくとも１個所に設けられる餌袋をさらに含む、請求項５６に記載の筌。
【請求項５９】
前記餌袋は、前記第１及び第２異物防止筌網と一体に構成されて、前記第１及び第２異物防止筌網の一部を縛って形成する、請求項５８に記載の筌。
【請求項６０】
前記第１及び第２異物防止フレームは、円形、楕円形、三角形、四角形、多角形のうちのいずれか１つである、請求項５６に記載の筌。
【発明の詳細な説明】
【技術分野】
【０００１】
本発明は、筌に関する。
【背景技術】
【０００２】
一般的に海または川で生息している魚類を捕獲する方法として、釣り、網、筌などを用いる。これらのうち、筌は個々の魚類を捕獲する釣りより捕獲量は多く、網よりは使いやすいという利点がある。
【０００３】
このような筌は、その形態や構成が多様であり、大韓民国公開実用新案出願第１９９３-００１７５０７号及び大韓民国公開実用新案出願第１９９９-００００００１号などに開示されている。
【０００４】
図１は、このような従来の筌のうち、スプリング筌の一例を示す図であり、図２は、筌で捕獲された魚類を回収する方法を示す図である。
【０００５】
図示のように、筌１０’は、円筒状のコイルスプリングからなるフレーム１２と、前記フレーム１２の外周を包み込んでいる筌網１１と、前記フレーム１２の内部中心方向に連結されて入口１２a、１２ｂが形成され、前記入口１２a、１２ｂは筌の内部中心方向にさらに延長して誘引口１３が形成され得る。
【０００６】
魚類５は、両側の入口１２a、１２ｂを通じて第１誘引部１３ａａ、１３ｂａに入って、第１誘引部１３ａａ、１３ｂａの一端部を支持する誘引フレーム１３a’、１３ｂ’を通過し、第１誘引部１３ａａ、１３ｂａと一体に一端部が連結され、第１誘引部１３ａａ、１３ｂａより直径が狭くなる形で延長する第２誘引部１３ａｂ、１３ｂｂの誘引口１３a''、１３ｂ''通過した魚類５が筌１０’に捕獲され得る。捕獲された魚類５は、貯蔵部１４に保存され得る。貯蔵部１４には餌（図示せず）が配置されて魚類５を誘引することができる。捕獲が終了すると、地上で筌１０’をはたき落として貯蔵部１４内にある魚類５を回収し、筌１０’をぺちゃんこに押した後に筌固定部１５で筌１０’のフレーム１２''の両側を固定して保管する。
【０００７】
前記の従来の筌１０’では、貯蔵部１４に保存された魚類５が誘引部をさかのぼって脱出するのが容易である。すなわち、魚類５が貯蔵部１４で動き回って内側の誘引口１３a''、１３ｂ''の近くに接近する場合、外部に脱出するのが容易になる。これにより、魚類５の捕獲量が減る問題点がある。
【０００８】
また、他の問題点は、従来の筌１０’の入口１２a、１２ｂを通してゴミ、クラゲなどの異物などが流入され得ることである。ゴミや廃ビニールなどが筌１０’の内部に流入すると、貯蔵部１４の内部で腐敗し悪臭などを発生させて餌による魚類５の捕獲が難しくなり、既に捕獲された魚類５がゴミなどにより斃死して商品性を失うおそれもある。また、クラゲなどが流入すると、捕獲された魚類５をクラゲが飽食して漁獲量が減ることもある。
【発明の概要】
【発明が解決しようとする課題】
【０００９】
本発明は、漁獲量を向上させることができる筌を提供する。
【課題を解決するための手段】
【００１０】
本発明の一実施例による筌は、魚類の捕獲に用いられるものであって、少なくとも１つの入口が形成される筌網と、前記筌網を支持する少なくとも１つ以上のフレームと、前記筌網の前記入口から前記フレームの内部方向に延長して形成され、誘引口を含む少なくとも１つの誘引部と、隔離された空間を形成し、前記少なくとも１つの誘引部の前記誘引口を通過した魚類が通過する少なくとも１つの魚類通過孔が設けられる脱出防止部とを含むことができる。
【００１１】
前記脱出防止部は、前記誘引部と一定の距離だけ離隔されることができる。
【００１２】
前記誘引部と前記脱出防止部は、前記筌網に少なくとも１つ以上の連結部材による両端が位置固定されることができる。
【００１３】
前記誘引部は、前記入口より狭い前記誘引口を有することができる。
【００１４】
前記脱出防止部は、前記魚類通過孔を通して流入した魚類が排出される少なくとも１つ以上の出口をさらに含むことができる。
【００１５】
前記脱出防止部は、前記誘引部の一部を包み込むように形成することができる。
【００１６】
前記フレームは、上側に配置される第１フレームと、前記第１フレームと一定の距離だけ離隔して配置される第２フレームとを含み、前記筌網は、前記第１及び第２フレームに結合されて前記筌の上部面と下部面及び側壁を形成することができる。
【００１７】
前記第１及び第２フレームは、互いに対応する大きさ及び形状で形成されることができる。または、前記第１及び第２フレームは、互いに異なる大きさ及び形状で形成されることもできる。この時、前記第１フレームより前記第２フレームがさらに大きく形成されることができる。
【００１８】
前記第１及び第２フレームは、円形及び多角形のうちいずれか１つで形成されることができる。
【００１９】
前記筌網は、互いに向かい合う一側及び他側に一対の入口が形成されて、前記誘引部は一対が互いに向かい合うように配置されることができる。
【００２０】
一例として、前記フレームは、互いに向かい合うように配置される第１及び第２フレームと、前記第１及び第２フレームの内側に一定の距離だけ離隔された状態で互いに向かい合うように配置され、前記第１及び第２フレームより小さく形成される第３及び第４フレームと、一端は前記第１フレームと連結され、他端は前記第２フレームと連結されて前記第１及び第２フレームを互いに遠くなる方向に加圧するコイルフレームとを含むことができる。
【００２１】
この時、前記筌網は、一端は前記第１フレームと結合され、他端は前記第２フレームと連結される第１筌網と、一端は前記第１フレームと結合され、他端は前記第３フレームと連結される第２筌網と、一端は前記第２フレームと結合され、他端は前記第４フレームと連結される第３筌網と、一端は前記第３フレームと連結され、他端は前記第４フレームと連結され、中央付近に切開されて、前記筌の展開時に切開された部分が密着した魚類流入口が形成される第４筌網とを含むことができる。
【００２２】
前記脱出防止部は、一端は前記第２筌網と連結され、他端は前記第３筌網と連結されて、前記第２及び第３筌網の一部と前記第４筌網の全体の周りを包み込むことができる。
【００２３】
この時、前記第２筌網と結合される第５フレームと、前記第３筌網と結合される第６フレームとをさらに含み、前記脱出防止部の一端は前記第５フレームと結合され、他端は前記第６フレームに結合されることもできる。
【００２４】
前記第５及び第６フレームは、前記第１及び第２フレームよりは小さく、前記第３及び第４フレーム以上の大きい幅を有し、互いに向かい合うように配置されることができる。
【００２５】
前記出口は、円形、楕円形、多角形のうちいずれか１つの形状であることができる。
【００２６】
前記出口は、前記脱出防止部に少なくとも３つ以上貫通して形成されることができる。
【００２７】
前記出口は、それぞれの中心を連結した仮想の延長線が前記脱出防止部の中心を通過する仮想の延長線と平行に配置されることができる。
【００２８】
または、前記出口は、それぞれの中心を連結した仮想の延長線が前記脱出防止部の中心を通過する仮想の延長線と一定の角度を形成するように配置されることもできる。
【００２９】
前記筌は、前記出口と一定の距離だけ離隔され、前記出口と前記フレームに結合された前記筌網との間に配置されて前記筌の内部の空間を仕切る少なくとも１つ以上の隔膜筌網をさらに含むことができる。
【００３０】
前記隔膜筌網は、少なくとも１つ以上の魚類通過孔を備えることができる。
【００３１】
前記隔膜筌網は、前記出口と近接した位置に配置されて第１魚類貯蔵部を形成し、少なくとも１つ以上の第１魚類通過孔を有する第１隔膜筌網と、前記第１隔膜筌網と離隔して配置されて前記第１隔膜筌網と共に第２魚類貯蔵部を形成し、少なくとも１つ以上の第２魚類通過孔を形成する第２隔膜筌網とを含むことができる。
【００３２】
前記第１魚類通過孔は、前記第２魚類通過孔より大きく形成されることができる。
【００３３】
前記筌は、前記第１筌網と前記脱出防止部との間に介在する少なくとも１つ以上の隔膜筌網をさらに含むことができる。
【００３４】
前記隔膜筌網は、前記脱出防止部と近接した位置に配置され、第１魚類通過孔を有する第１隔膜筌網と、前記第１筌網と近接した位置に配置され、第２魚類通過孔を有する第２隔膜筌網とを含み、前記第１魚類通過孔が前記第２魚類通過孔より大きく形成されることができる。
【００３５】
前記筌は、前記脱出防止部、前記第１隔膜筌網、前記第２及び第３筌網で形成される第２魚類貯蔵部と、前記第１及び第２隔膜筌網、前記第２及び第３筌網で形成される第２魚類貯蔵部と、前記第１筌網、前記第２隔膜筌網、前記第２及び第３筌網で形成される第３魚類貯蔵部とを含むことができる。
【００３６】
前記第２及び第３魚類貯蔵部には、内部空間を分割する第１及び第２仕切膜が形成されることができる。
【００３７】
前記第１及び第２仕切膜は、捕獲された魚類が通過する第１及び第２通過孔をさらに含むことができる。
【００３８】
前記第１通過孔は、前記第２通過孔より大きく形成されることができる。
【００３９】
一方、一実施例による筌は、前記筌網により形成される内部空間部を開閉するドアユニットをさらに含み、前記ドアユニットは、前記筌網に結合されるドアフレームと、前記ドアフレームに開閉可能に設けられ、中央が網で形成されるドア部材と、前記ドアフレームと前記ドア部材の開閉動作を規制するロッカーと、前記ドア部材と一端が連結され、他端は前記フレームと連結されて、前記ドア部材の閉鎖位置でぴんと張られて張力が印加されるひも部材とを含み、前記ひも部材の張力が解除された場合、前記ドア部材が開放されることができる。
【００４０】
または、前記筌は、前記第１ないし第３魚類貯蔵部の内部空間部を選択的に開閉するドアユニットをさらに含み、前記ドアユニットは、前記筌網に結合されるドアフレームと、前記ドアフレームに開閉可能に設けられ、中央が網で形成されるドア部材と、前記ドアフレームと前記ドア部材の開閉動作を規制するロッカーと、前記ドア部材と一端が連結され、他端は前記フレームと連結されて、前記ドア部材の閉鎖位置でぴんと張られて張力が印加されるひも部材とを含み、前記ひも部材の張力が解除された場合、前記ドア部材が開放されることができる。
【００４１】
前記筌は、前記ドアユニットの内側に設けられて、前記第１ないし第３魚類貯蔵部の内部空間を個別的に開閉する補助ドアユニットをさらに含み、前記補助ドアユニットは、前記第２及び第３筌網のうちのいずれか１個所の前記第１魚類貯蔵部側に設けられる第１補助ドアユニットと、前記第２及び第３筌網のうちのいずれか１個所の前記第２魚類貯蔵部側に設けられる第２補助ドアユニットと、前記第２及び第３筌網のうちのいずれか１個所の前記第３魚類貯蔵部側に設けられる第３補助ドアユニットとを含むことができる。
【００４２】
前記第１補助ドアユニットは、中央に第１魚類排出孔が形成される第１ドアフレームと、前記第１ドアフレームに開閉可能に設けられる第１ドア部材と、前記第１ドアフレームと前記第１ドア部材の開閉動作を規制する第１ロッカーとを含むことができる。
【００４３】
前記第２補助ドアユニットは、中央に第２魚類排出孔が形成される第２ドアフレームと、前記第２ドアフレームに開閉可能に設けられる第２ドア部材と、前記第２ドアフレームと前記第２ドア部材の開閉動作を規制する第２ロッカーとを含むことができる。
【００４４】
前記第３補助ドアユニットは、中央に第３魚類排出孔が形成される第３ドアフレームと、前記第３ドアフレームに開閉可能に設けられる第３ドア部材と、前記第３ドアフレームと前記第３ドア部材の開閉動作を規制する第３ロッカーとを含むことができる。
【００４５】
前記第１ないし第３補助ドアユニットは、互いに異なる大きさで形成されることもできる。
【００４６】
一方、一実施例による筌は、第１及び第２フレームに結合される第１及び第２異物防止ユニットをさらに含むことができる。
【００４７】
前記第１異物防止ユニットは、前記第１フレームより小さく形成される第１異物防止フレームと、前記第１異物防止フレームに結合される第１異物防止筌網とを含み、前記第２異物防止ユニットは、前記第２フレームよりは小さく形成される第２異物防止フレームと、前記第２異物防止フレームに結合される第２異物防止筌網とを含むことができる。
【００４８】
前記第１異物防止フレームは、前記第１フレームと少なくとも１つ以上の連結部材で連結され、前記第２異物防止フレームは、前記第２フレームと少なくとも１つ以上の連結部材で連結されることができる。
【００４９】
また、前記筌は、前記第１及び第２異物防止ユニットのうち少なくとも１個所に設けられる餌袋をさらに含むことができる。
【００５０】
前記餌袋は、前記第１または第２異物防止筌網と一体に構成されて、前記第１または第２異物防止筌網の一部を縛って形成することができる。
【００５１】
一方、前記第１及び第２フレームのうちいずれか１個所に少なくとも１つ以上設けられる固定ユニットが形成されることができる。
【００５２】
前記第１ないし第３筌網は一体に構成されることができる。
【００５３】
前記第３及び第４フレームを連結する少なくとも１つ以上のひも（ｓｔｒｉｎｇ）をさらに含み、前記ひもは前記第４筌網の前記魚類流入口の付近で、前記第４筌網と連結されることができる。
【発明の効果】
【００５４】
捕獲された魚類の脱出が最大限防止されるため、漁獲量を増やすことができる。
【００５５】
また、水中に漂うゴミやクラゲなどが筌の内部に流入されることが防止されるため、筌の内部にゴミなどのような汚染物質が流入されることを防止することができ、クラゲなどによって漁獲量が減少することを防止することができる。
【００５６】
また、入口側に餌などを設ける場合、魚類を筌の入口側にさらによく誘導することができ、捕獲の効率性を向上させることができる。
【００５７】
また、筌に保存されている魚類を容易に外部に排出することができ、魚類の選別作業や回収において無駄な労働を減らすことにより作業時間を短縮させて労働生産性を向上させることができる。
【図面の簡単な説明】
【００５８】
【図１】従来の技術によるスプリング筌の概略的な構造を示す図である。
【図２】従来の技術によるスプリング筌の使用の例示を概略的に示す図である。
【図３】一実施例による円筒状の筌の一例を示す図である。
【図４】一実施例による四角状の筌の一例を示す図である。
【図５】一実施例による円錐状の筌の一例を示す図である。
【図６】一実施例による円筒状の筌に一対の誘引部が設けられた場合を示す図である。
【図７】一実施例による円錐状の筌に複数の誘引部が設けられた場合を示す図である。
【図８】一実施例による円筒状の筌の他の実施例であって、脱出防止部の内側に誘引部の誘引口が配置された場合を示す図である。
【図９】図８の他の実施例であって、多角状の筌に複数の出口を有する脱出防止部の内側に誘引部の誘引口が配置された場合を示す図である。
【図１０】図８の他の実施例であって、円錐状の筌に複数の誘引部が形成され、複数の誘引口が１つの脱出防止部の内側に配置された場合を示す図である。
【図１１】図８の他の実施例であって、円錐状の筌に複数の誘引部が形成され、複数の誘引口が１つの脱出防止部の内側に配置された場合を示す図である。
【図１２】スプリング筌の内側の空間に設けられる脱出防止部の設置位置を多様に変化させた実施例を示す図である。
【図１３】スプリング筌の内側の空間に設けられる脱出防止部の設置位置を多様に変化させた実施例を示す図である。
【図１４】スプリング筌の内側の空間に設けられる脱出防止部の設置位置を多様に変化させた実施例を示す図である。
【図１５】スプリング筌の内側の空間に設けられる脱出防止部の設置位置を多様に変化させた実施例を示す図である。
【図１６】スプリング筌の内側の空間に設けられる脱出防止部の設置位置を多様に変化させた実施例を示す図である。
【図１７】スプリング筌の内側の空間に設けられる脱出防止部の設置位置を多様に変化させた実施例を示す図である。
【図１８】スプリング筌の内側の空間に設けられる脱出防止部の設置位置を多様に変化させた実施例を示す図である。
【図１９】スプリング筌の内側の空間に設けられる脱出防止部の設置位置を多様に変化させた実施例を示す図である。
【図２０】スプリング筌の内側の空間に設けられる脱出防止部の設置位置を多様に変化させた実施例を示す図である。
【図２１】一実施例によるスプリング筌に複数の出口を有する脱出防止部を設けた場合を示す図である。
【図２２】図２１の一対の誘引部と脱出防止部を抜粋して示す図である。
【図２３】一実施例による脱出防止部の展開図である。
【図２４】一実施例によるスプリング筌に異物防止ユニットを設けた場合を示す図である。
【図２５】一実施例によるスプリング筌に複数の隔膜を用いて魚類貯蔵部を仕切った状態を示す図である。
【図２６】図２５の断面図である。
【図２７】一実施例によるスプリング筌に複数の隔膜と仕切膜を用いて魚類貯蔵部を仕切った状態を示す図である。
【図２８】図２７の断面図である。
【図２９】図２７の断面図である。
【図３０】図２８の要部の拡大図である。
【図３１】一実施例によるスプリング筌にドアユニットを設けた状態を示す図である。
【図３２】図３１のドアユニットの構造を示す図である。
【図３３】図３１のドアユニットの開閉動作を示す図である。
【図３４】図３１のドアユニットの開閉動作により魚類を収穫する方法を示す図である。
【図３５】一実施例によるスプリング筌に複数の魚類貯蔵部別に補助ドアユニットが設けられ、前記魚類貯蔵部別に設けられた補助ドアユニットの全体を覆うドアユニットが設けられた状態を示す図である。
【図３６】図３５のドアユニットの構造を示す図である。
【図３７】一実施例による円錐状の筌に魚類貯蔵部を仕切る隔膜が設けられた状態を示す図である。
【図３８】一実施例による円錐状の筌に一対の誘引部が設けられ、収穫のためのドアユニットが設けられた状態を示す図である。
【図３９】一実施例による多角形の柱状の筌に一対の誘引部が設けられ、入口側に異物遮断ユニットが設けられた状態を示す図である。
【図４０】一実施例による円錐状の筌に脱出防止部と、複数の隔膜筌網と、ドアユニット及び異物遮断ユニットが設けられた状態を示す図である。
【発明の詳細な説明】
【００５９】
以下、本発明は、添付の図面と共に説明する。
【００６０】
以下、添付の図面を参照して本発明による実施例を詳細に説明する。この過程で図面に示された構成要素の大きさや形状などは、説明の明瞭性や便宜上、誇張して示されることがある。また、本発明の構成及び作用を考慮して特に定義された用語は、使用者、運用者の意図または慣例により変わることができる。このような用語に対する定義は、本明細書の全般にわたる内容に基づいて、本発明の技術的な思想に符合する意味及び概念として解釈されるべきである。
【００６１】
図３は一実施例による円筒状の筌の一例を示す図である。
【００６２】
図示のように、筌は、筌網１０、フレーム２０、誘引部３０及び脱出防止部１００を含むことができる。
【００６３】
筌網１０は、網状で設けられ得る。この実施例によれば、前記筌網１０は、フレーム２０に支持されて内部空間部を形成することができる。例えば、図３に示すように、リング状のフレーム２０に終端が連結され、円筒状の筌を構成して内部に魚類１が捕獲され得る空間部を形成することができる。筌網１０には、魚類１が流入される入口１１と、前記入口１１を通過して魚類１が内部空間部に流入される誘引口１２が形成され得る。この時、誘引口１２は、位置固定のためにひも部材Ｓを用いて筌網１０の上側及び下側に縛って固定することができる。これに関しては後に再び説明する。
【００６４】
フレーム２０は、リング状の第１及び第２フレーム２１、２２を含むことができる。フレーム２０は、金属材質から形成されるが、腐食などが防止できるように樹脂材質などでコーティングして形成されることも可能である。または、金属の代わりに合成樹脂などのような様々な材質で形成され得る。
【００６５】
一方、前記第１及び第２フレーム２１、２２の形状は、図３に示すように、同一の直径を有するリング状で設けられてもよく、図４に示すように、四角状で設けられてもよく、図５に示すように、第１及び第２フレーム２１、２２の直径を互いに異なって構成してもよい。これは、筌の使用環境に応じて多様に変更され得る。前記フレーム２０は、前記筌網１０と結合されて、筌の骨組を形成するためのものであり、必要に応じて様々な形状に変更され得る。よって、第１及び第２フレーム２１、２２の形状は、円形、三角形、四角形、多角形などに多様に変更可能である。
【００６６】
誘引部３０は、前記筌網１０の入口１１から前記フレーム２０の内部方向に延長して形成され、誘引口１２を含むことができる。誘引部３０は、図３ないし図５に示すように、１つが一側壁面に形成され得るが、これに限るものではない。すなわち、図６のように一対の誘引部３０a、３０ｂが互いに向かい合うように配置されてもよく、図７のように複数の誘引部３０a、３０ｂ、３０ｃが設けられることも可能である。誘引部３０の数は、筌の大きさによって可変であり、捕獲される魚類の大きさによって決定され得る。
【００６７】
前記誘引部３０は、図３に示すように、筌網１０の一側壁面に形成されている入口１１と連結され、前記入口１１より誘引口１２の直径が小さくなるように構成し、次第に狭くなるように形成することができる。前記誘引部３０を通して、魚類１は筌の内部に誘引され得る。
【００６８】
この実施例の場合、脱出防止部１００が筌の内部に設けられて、既に捕獲された魚類１が筌の外側に逃げることを防止することにその特徴がある。
【００６９】
脱出防止部１００は、隔離された空間を形成し、前記のように構成された少なくとも１つの誘引部３０の誘引口１２を通過した魚類１が通過する少なくとも１つの魚類通過孔１１０と出口１２０が設けられ得る。
【００７０】
一例として、前記脱出防止部１００は、図３に示すように、前記誘引部３０と一定の距離ｇだけ離隔され得る。この時、前記距離ｇは、魚類１の大きさに比べて小さく形成されるため、前記誘引口１２を通過した魚類がこの隙間から抜け出すことはない。もし抜け出したとしても、筌の内部であるため問題にならない。前記誘引部３０を通して流入した魚類１は、図示のように誘引口１２を経て魚類通過孔１１０を通じて脱出防止部１００の内部空間部に流入し、流入した魚類１は出口１２０を通じて筌の内部に収容され得る。
【００７１】
また、脱出防止部の形状は様々であるものの、図３では脱出防止部１００は略円柱状で設けられており、図３に示すように、リング状のフレームを一対設けてここに網を構成し、側壁には前記魚類通過孔１１０を形成し、上部面または下部面のうちのいずれか１個所には出口１２０を形成して構成することができる。この時、前記脱出防止部１００は、少なくとも１つ以上のひも部材Ｓやバーなどを用いて筌網１０に縛って組み立てることができる。
【００７２】
脱出防止部１００は、図３及び図４に示すように、前記誘引部３０の魚類の進行方向に垂直な方向に立てて設けてもよく、図５に示すように、魚類の進行方向に垂直ではあるものの、底面に水平に配置されてもよい。脱出防止部１００の配置位置は、筌の構造及び設計に応じて多様に可変できる。
【００７３】
図６は、一実施例による円筒状の筌に一対の誘引部３０a、３０ｂが設けられた場合を一例として説明する図である。この場合、それぞれの誘引部３０a、３０ｂには、それぞれ第１及び第２入口１１a、１１ｂと第１及び第２誘引口１２a、１２ｂが設けられ得、これらが互いに同一の形状で対称に配置され得る。しかしこれに限られるのではなく、必要に応じて多様な位置に配置されることも可能である。
【００７４】
また、脱出防止部１００は、前記一対の誘引部３０a、３０ｂで、一方の誘引部の一部から他方の一部まで全体を包み込むむように配置され得る。すなわち、図６に示すように、第１及び第２誘引口１２a、１２ｂは互いに向かい合うように配置され、前記第１及び第２誘引口１２a、１２ｂはひも部材Ｓで連結されて位置固定され得る。脱出防止部１００は、前記第１及び第２誘引口１２a、１２ｂの周りを網部材で包み込んで形成することができる。この時、前記脱出防止部１００の出口１２０は、前記第１及び第２誘引口１２a、１２ｂと垂直な位置に配置され得る。また、出口１２０は少なくとも１つ、または、それ以上が形成され得る。
【００７５】
すなわち、図７に示すように、筌により複数の誘引部３０a、３０ｂ、３０ｃを形成し、これらの誘引部３０a、３０ｂ、３０ｃ毎に、前記のように構成された脱出防止部１００a、１００ｂ、１００ｃを設けることができる。
【００７６】
一方、図８に示すように、前記脱出防止部１００は、前記誘引部３０の誘引口１２が内部に配置されるように設けられることもできる。この場合、前記の魚類通過孔１１０（図３など参照）の代わりに脱出防止部１００の側壁に前記誘引口１２が直接挿入されて、誘引口１２が脱出防止部１００の内部空間に配置されることもできる。
【００７７】
また、図９に示すように、誘引部３０は１つが設けられるが、脱出防止部１００を球体状に設けると共に、複数の出口１２０a、１２０ｂ、１２０ｃを有するように形成することもできる。
【００７８】
一方、図１０及び図１１に示すように、複数の誘引部３０a、３０ｂ、３０ｃを構成すると共に、これらの終端を直接図８の実施例のように脱出防止部１００の内部空間部に配置することもできる。この場合、前記脱出防止部１００の出口１２０は、１つのみ形成して底面に向かうように配置することも可能である。この時、前記第１及び第２フレーム２１、２２の形状は円形であってもよく、多角状に設けてもよい。また、図示のように第１フレーム２１より第２フレーム２２を大きく形成して、水中に投げた場合、自然に底面が下方を向かうように形成することもできる。このように第２フレーム２２の大きさをさらに大きく形成すると、自重により水中で容易に底面が下方に向かうことができ、水流によりひっくり返りにくくすることができる。
【００７９】
このような構成によれば、捕集された魚類１は筌の中で逃げられる唯一の場所である誘引口１２への進入が脱出防止部１００により妨げられる。特に、脱出防止部１００の出口１２０と魚類通過孔１１０が垂直な方向に形成されるため、視力がよくない魚類１が正確に出口１２０と魚類通過孔１１０を経て誘引口１２に進むことは容易でないので、一度捕集された魚類が誘引口１２を通して逃げることを防止することができる。
【００８０】
一方、図１２ないし図２０はスプリング筌を一例として説明する図である。
【００８１】
図示のように、スプリング筌は筌網１０と、複数のフレーム２０に一対の誘引部３０a、３０ｂが向かい合うように配置され得る。
【００８２】
フレーム２０は、第１ないし第４フレーム２１〜２４と、コイルフレーム２５とを含むことができる。
【００８３】
第１及び第２フレーム２１、２２は互いに向かい合うように配置され、第３及び第４フレーム２３、２４は互いに向かい合うように配置されるが、前記第１及び第２フレーム２１、２２の内側に一定の距離だけ離隔された状態で配置され得る。一方、コイルフレーム２５は、一端は第１フレーム２１と結合され、他端は第２フレーム２２と結合されて、前記第１及び第２フレーム２１、２２を一定の距離で離隔させることができる。
【００８４】
一方、前記第１及び第２フレーム２１、２２の直径は、前記第３及び第４フレーム２３、２４の直径より大きく形成されて、前記誘引部３０a、３０ｂが次第に筌の内部に行くほど狭くなるように形成され得る。
【００８５】
この実施例によれば、前記筌の内部に流入した魚類１が逃げられないように脱出防止部１００が設けられたことにその特徴があり、図１２ないし図２０もこのような脱出防止部１００が多様な方法で結合されている。
【００８６】
すなわち、図１２のように、誘引部３０ａの端部または底面側に形成された誘引口１２を通過した魚類は、脱出防止部１００の内部空間に流入し、出口１２０を通じて筌網１０の内部空間に収容され得る。この時、脱出防止部１００は、魚類が流入する筌の誘引部３０ａの一部を包み込むように形成されるため、入ってきたところに魚類が容易に出て行けない。
【００８７】
図１３〜図２０は、他の例として、脱出防止部１００の大きさを調整して、誘引部３０ａの一部領域を脱出防止部１００が含むようにした構成である。この場合、誘引口１２、１２’を通過した魚類がそれぞれ出口１２０、１２０’を通過して筌の内部に流入し得、誘引された魚類は、脱出防止部１００により入口１１a、１１ｂを通じて逃げることを防止することができる。
【００８８】
一方、図２０及び図２１に示すように、第１誘引部３０ａは、一端は第１フレーム２１と連結され、他端は第３フレーム２３と連結されて構成され、第２誘引部３０ｂは、一端は第２フレーム２２と連結され、他端は第４フレーム２４と連結されて構成される。
【００８９】
この時、前記フレーム２０は、第１ないし第４フレーム２１〜２４とコイルフレーム２５とで構成され、筌網１０は、前記フレーム２０に結合されて筌の外郭を形成する第１筌網１０ａと、一端は第１フレーム２１に結合されて他端は第３フレーム２３に結合される第２筌網１０ｂと、一端は第２フレーム２２に結合されて他端は第４フレーム２４に結合される第３筌網１０ｃと、終端に魚類１が通過する誘引口１２が形成される第４及び第５筌網１０ｄ、１０ｅとを含むことができる。
【００９０】
この場合、第１及び第２入口１１a、１１ｂを含む第１及び第２誘引部３０a、３０ｂの一部領域は、前記の脱出防止部１００により包み込まれ、このために脱出防止部１００の内側領域に第３及び第４フレーム２３、２４が配置され得る。すなわち、前記脱出防止部１００は、一端は前記第２筌網１０ｂと連結され、他端は前記第３筌網１０ｃと連結されて、前記第２及び第３筌網１０ｂ、１０ｃの一部と第４筌網１０ｄ及び第５筌網１０ｅの全体の周りを包み込むことができる。
【００９１】
一方、図２１と図２２に示すように、一実施例において、筌は魚類の脱出を防止するために、脱出防止部１００には第５及び第６フレーム１０１、１０２がさらに含まれ得る。前記脱出防止部１００の一端は第５フレーム１０１に結合され、脱出防止部１００の他端は第６フレーム１０２に結合される。第５フレーム１０１と第６フレーム１０２は略リング状に設けられ得、前記第２筌網１０ｂと第５フレーム１０１が結合され、第３筌網１０ｃと第６フレーム１０２が結合されることもできる。前記第５及び第６フレーム１０１、１０２は、前記第１及び第２フレーム２１、２２よりは小さく、前記第３及び第４フレーム２３、２４以上の大きい幅を有し、互いに向かい合うように配置され得る。これにより、前記第１及び第２誘引口１２a、１２ｂいずれも脱出防止部１００の内部空間部に配置され得、これらを通過した魚類は出口１２０を通じて筌の内部に収容され得る。
【００９２】
また、脱出防止部１００には、複数の出口１２０a、１２０ｂ、１２０ｃが貫通して形成され得、これらの配置は、図２３のように多様に構成され得る。前記出口１２０は円形、楕円形、多角形など様々である。前記出口１２０は、前記脱出防止部１００を形成する離脱防止筌網に少なくとも３つ以上貫通して形成され得る。
【００９３】
すなわち、図２３の（ａ）に示すように、前記出口１２０はそれぞれの中心を連結した仮想の延長線が前記離脱防止筌網の中心を通過する仮想の延長線と平行に配置され得る。または、図２３の（ｂ）に示すように、前記出口１２０’はそれぞれの中心を連結した仮想の延長線が前記離脱防止筌網の中心を通過する仮想の延長線と一定の角度を形成するように配置されることもできる。または、図２３の（ｃ）に示すように、４つの出口１２０''が設けられて図２３の（ａ）のように配置されることも可能である。
【００９４】
図２４は、一実施例による筌のうちスプリング筌に異物防止ユニット６００が形成された構造を示す図である。異物防止ユニット６００は、一対がそれぞれ第１及び第２フレーム２１、２２に結合されて、同一の構造であるため、１つのみを例にあげて説明することができる。
【００９５】
異物防止ユニット６００は、前記異物防止フレーム６１０に複数のひも部材６２０で連結され得、異物防止筌網６１５が結合されて遮断膜を形成することができる。この時、前記異物防止フレーム６１０は、第１フレーム２１よりは小さい。この時、前記異物防止筌網の端には図２４の（ｂ）及び図２４の（ｃ）に示すように、餌袋ｂが設けられ得、一例として、ひも６３０を用いて、前記異物防止筌網の一部分を縛って形成することもできる。この時、前記ひも６３０は玉ねぎ袋の網を引き締める構造のひもなどを用いて結び目６３５の処理を行なうことにより仕上げることができる。このような構成によれば、異物防止ユニット６００の周辺空間部を通じては水５０と共に魚類が流入され得、重量が重いゴミや異物などは前記異物防止ユニット６００により遮断されて入口１１ａの内側に流入されることが遮断され得る。
【００９６】
一方、図２４では計４つのひも部材６２０で異物防止フレーム６１０が支持される構成を説明したが、これに限られるのではなく、必要に応じて連結部材、すなわち、ひも部材６２０、バーなどの数は可変であり得る。また、異物防止ユニット６００の位置は真中であってもよく、一側に偏った状態で構成されることも可能である。
【００９７】
また、図２５ないし図３０に示すように、前記出口１２０と一定の距離だけ離隔され、前記出口１２０と前記フレーム２０に結合された筌網との間に配置されて筌の内部の空間を仕切る少なくとも１つ以上の隔膜筌網４００をさらに含むこともできる。
【００９８】
前記隔膜筌網４００は、図示のように魚類貯蔵部４１０と隔膜４２０で構成され得る。
【００９９】
魚類貯蔵部４１０は、第１ないし第３魚類貯蔵部４１１、４１３、４１５で構成され、これらのそれぞれは互い異なる大きさの魚類１が保存され得る。
【０１００】
隔膜４２０は、互いに異なる大きさの魚類を前記魚類貯蔵部４１０の内部に区分して収容するために設けられており、第１ないし第３隔膜筌網４２１、４２３、４２５を含むことができる。また、図２５及び図２６に示すように、前記第１及び第２隔膜筌網４２１、４２３には、それぞれ第１及び第２魚類通過孔４１１a、４１３ａが設けられることができる。この時、前記第１魚類通過孔４１１ａは、前記第２魚類通過孔４１３ａより大きく形成され得る。このような構成によれば、前記出口１２０を通過した魚類のうち小さい魚類は最外側に形成された第３魚類貯蔵部４１５側に逃げることができ、筌の内部で大きい魚類が小さい魚類を捕食することにより漁獲量が減ることを防止することができる。
【０１０１】
また、図２７に示すように、前記第２及び第３魚類貯蔵部４１３、４１５には、内部空間を分割する第１及び第２仕切膜４１６、４１８が形成され得る。また、前記の第１及び第２隔膜筌網４２１、４２３には、前記の第１及び第２魚類通過孔４１１a、４１３ａなどは図示のように複数設けられ得る。
【０１０２】
前記第１及び第２仕切膜４１６、４１８は捕獲された魚類が通過する第１及び第２通過孔４１６a、４１８ａより大きく形成され得る。
【０１０３】
一方、図２８に示すように、それぞれの魚類貯蔵部４１１、４１３、４１５には、筌の長手方向と平行な方向に仕切膜４１２、４１４が形成され得、前記仕切膜４１２、４１４には第１及び第２通過孔４１２a、４１４ａが形成され得る。この時、前記第１及び第２通過孔４１２a、４１４ａの大きさは互いに異なることがあり、前記第１通過孔４１２ａの大きさが第２通過孔４１４ａの大きさより大きく形成され得る。
【０１０４】
一方、図２８に示すように、第１隔膜筌網４２１には、前記第１仕切膜４１２を介して第１及び第２ガイド通過孔４１１ｂa、４１１ｂｂで構成される第１ガイド魚類通過孔４１１ｂと、第３及び第４ガイド通過孔４１３ｂa、４１３ｂｂで構成される第２ガイド魚類通過孔４１３ｂが形成され得る。この時、前記第２ガイド魚類通過孔４１３ｂの大きさは、前記第１ガイド魚類通過孔４１１ｂより小さく形成され得、これは最外側に行くほど小さい魚類が保存されるようにするためである。
【０１０５】
図２９は、前記のように構成された筌に長手方向に垂直な方向に遮断膜５００を形成し、ここに第１及び第２仕切膜４１６、４１８に互いに異なる大きさで貫通して形成された円形の第１及び第２通過孔４１６a、４１８ａが形成される構成を示す図であり、前記第１通過孔４１６ａは、第２通過孔４１８ａの大きさより大きく形成され得る。この時、第１隔膜筌網４２１には第１ガイド魚類通過孔４１１ｃが形成され、前記第２隔膜筌網４２３には第２ガイド魚類通過孔４１３ｃが形成され得、これらの大きさは互いに異なって構成し、大きさが小さい魚類のみが筌の外側に移動できるようにする。
【０１０６】
図３０は、図２９の遮断膜５００の構成により、互いに大きさが異なる魚類１a、１ｂが互いに区分して収容される状態を示す図である。
【０１０７】
図示のように、第１隔膜筌網４２１に第１ガイド魚類通過孔４１１ｂが形成され得、この時、前記第１ガイド魚類通過孔４１１ｂは再び互いに異なる大きさで形成された第１及び第２ガイド通過孔４１１ｂa、４１１ｂｂで構成し、前記遮断膜４１２’を介して魚類が区分して配置できるようにする。この時、前記遮断膜４１２’には、第１直径の通孔４１２ａを形成して、相対的に小さい魚類１ｂは通過し、大きい魚類１ａは通過できないように構成することができる。
【０１０８】
また、第２隔膜筌網４２３に第２ガイド魚類通過孔４１３ｂが形成され得、この時、前記第２ガイド魚類通過孔４１３ｂは再び互いに異なる大きさで形成された第３及び第４ガイド通過孔４１３ｂa、４１３ｂｂで構成し、前記遮断膜４１４’を介して魚類が区分して配置できるようにする。この時、前記遮断膜４１４’には、第２直径の通孔４１４ａを形成して、相対的に小さい魚類１ｄは通過し、大きい魚類１ｃは通過できないように構成することができる。
【０１０９】
図３１は、一実施例によるスプリング筌において、ドアユニット７００が設けられた構造を概略的に示す図である。他の構造は上述と同一であるため、重複説明は省略する。
【０１１０】
ドアユニット７００は、誘引部１１ｂの一端に設けられ、スプリング筌の収縮動作に連動して開放できるようにひも部材７５０で一側端部が連結され得る。前記ひも部材７５０は、離脱防止リング７７０を通じて離脱防止リング７７０の対角線方向にある第１フレーム２１に形成された環部７６０に係合して固定され得る。前記環部７６０により係合されたひも部材７５０は、前記環部７６０が第１フレームとの係合が解除された場合、張力を失ってドア部７２０が開閉可能な状態になり得る。一方、前記離脱防止リング７７０は必須ではなく、前記ひも部材７５０の一端が前記第１フレーム２１、または、第３フレーム２３に固定されるようにひも部材７５０が巻かれて構成されることも可能である。
【０１１１】
図３２は、このような実施例によるドアユニット７００を具体的に示す図である。
【０１１２】
図示のようなドアユニット７００は、フレーム部７１０とドア部７２０に区分され得る。
【０１１３】
フレーム部７１０には、少なくとも一対の固定部７１１、７１２が設けられてフレーム２０の両端に固定され得る。また、フレーム部７１０の真中付近には、前記ドア部７２０が開閉可能な通孔が形成され、前記ドア部７２０の閉鎖状態を維持するためのロック装置（または、ロッカーという）７１７が設けられ得る。前記フレーム部７１０には、ヒンジ部７１５が設けられて、前記ドア部７２０が回転開閉可能に設けられ得る。
【０１１４】
ドア部７２０は、周面を形成し、中央に通孔を有するドアフレーム７２１と前記ドアフレーム７２１に結合されるドア網７２５を含むことができる。この時、前記ドア部７２０の一側端部、好ましくは前記ヒンジ部７１５の反対側にひも部材７５０が筌の内側で連結され得る。一方、図示のように前記のドアユニット７００は、全般的に筌網構造７１９で形成して、水が通過できるように設けることもできる。
【０１１５】
図３３に示すように、この実施例によるドアユニット７００は、第４フレーム２４に前記の固定部７１２が結合され得、これにより、前記ドアユニット７００は、筌の内部の空間部全体を選択的に開閉することができる。すなわち、前記ひも部材７５０’は、一端は前記ドア部７２０に結合され、他端は前記のように第１フレーム２１に連結されるので、筌が図３４に示すように、筌を矢印方向の力(Ｆ)を付加して収縮させると、ひも部材７５０が引っ張る力が解除されるため、ドア部７２０は図３４の（ｂ）のように開放可能な状態になり、これにより捕獲された魚類１はドアユニット７００を通過して収穫することができる。
【０１１６】
一方、図３５に示すように、筌に複数の魚類貯蔵部が設けられている場合、前記ドアユニット７００の内側にはそれぞれの魚類貯蔵部４１１、４１３、４１５ごとに補助ドアユニットが個別的に設けられることもできる。
【０１１７】
すなわち、この実施例による筌は、ドアユニット７００の内側に、図３５及び図３６に示すように、第１ないし第３魚類貯蔵部４１１、４１３、４１５を開閉する補助ドアユニット７３０をさらに含むことができ、その上に前記の構造を有するドア部７２０が回動開閉可能に設けられ得る。
【０１１８】
図３６では、補助ドアユニット７３０は、第１ないし第３補助ドアユニット７３０a、７３０ｂ、７３０ｃで構成され得、前記第１ないし第３補助ドアユニット７３０a、７３０ｂ、７３０ｃを回動開閉可能に第１ないし第３補助ヒンジ部７４５a、７４５ｂ、７４５ｃで構成された補助ヒンジ部７４５が設けられ得る。
【０１１９】
また、前記補助ドアユニット７３０も、閉鎖状態が維持できるように、それぞれに第１ないし第３ロック装置７３７a、７３７ｂ、７３７ｃが設けられ得、これは前記のロック装置７１７と同一の構造で設けられ得る。前記のロック装置はレバー方式で設けられてもよい。
【０１２０】
一方、最外側にあるドア部７２０が開放されなかった場合には、前記の補助ドアユニット７３０が開放されず、前記第１ないし第３ロック装置７３７a、７３７ｂ、７３７ｃが開放されていても、魚類は出てこない。
【０１２１】
このような構成によれば、ドア部の開閉により、既存に比べて捕獲された魚類１の収穫を容易に行うことができる。すなわち、魚類が互いに異なる大きさに区分されて捕獲されるため、収穫しようとする魚類の大きさ別に前記補助ドアユニット７３０を選択的に開放すると、一度に１つの大きさの魚類のみを収穫することができ、収穫後に分類作業にかかる時間を節約することができる。
【０１２２】
図３７は、前記の実施例による変形実施例であって、円錐状の筌に互いに異なる大きさの魚類を区分して捕獲するための隔膜をさらに設けた構成である。
【０１２３】
図示のように一対の入口１１a、１１ｂを有する筌においても、第１ないし第３隔膜筌網４１１、４１３、４１５がさらに設けられることができる。また、前記第１及び第２隔膜筌網４１１、４１３には、互いに異なる大きさの魚類通過孔が形成されることは上述したとおりである。よって、第１ないし第３魚類貯蔵部４２１、４２３、４２５には、互いに異なる大きさの魚類が保存され得る。
【０１２４】
図３８は前記のドアユニット７００を円錘形の筌に適用したものであり、ドアユニット７００の基本構造及び動作は、前記と同様である。ただし、ドアユニット７００をひも部材の係合の解除動作により開放する場合、筌の内部に捕獲された魚類の収穫がさらに簡便になる。
【０１２５】
図３９は、多角柱状の筌の第１及び第２誘引部３０a、３０ｂ側に異物防止ユニット６００が設けられた構成であり、その構成及び効果は上述した通りである。
【０１２６】
図４０は、円錐状の筌に前記の複数の隔膜筌網と第１ないし第３魚類貯蔵部４２１、４２３、４２５が設けられる構成と、脱出防止部１００、異物防止ユニット６００及びドアユニット７００がいずれも設けられた構造を一例としている。構成及び動作は上述した通りである。
【０１２７】
先に説明され、且つ、図面に示した本発明の実施例は、本発明の技術的思想を限定するものと解釈されてはならない。本発明の保護範囲は請求の範囲に記載された事項によってのみ制限され、本発明の技術分野における通常の知識を有する者は本発明の技術的な思想を多様な形態で改良して変更することが可能である。よって、このような改良及び変更は、通常の知識を有する者に自明である限り、本発明の保護範囲に属するであろう。
【０１２８】
(符号の説明)
１：魚類、１１：網、１１：入口、１２：誘引口、２０：フレーム、２１：第１フレーム、２２：第２フレーム、３０：誘引部、１００：脱出防止部、１１０：魚類通過孔、１２０：出口
【図１】
2017528161.tif 000003
【図２（ａ）】
2017528161.tif 000004
【図２（ｂ）】
2017528161.tif 000005
【図２（ｃ）】
2017528161.tif 000006
【図３】
2017528161.tif 000007
【図４】
2017528161.tif 000008
【図５】
2017528161.tif 000009
【図６】
2017528161.tif 000010
【図７】
2017528161.tif 000011
【図８】
2017528161.tif 000012
【図９】
2017528161.tif 000013
【図１０】
2017528161.tif 000014
【図１１】
2017528161.tif 000015
【図１２】
2017528161.tif 000016
【図１３】
2017528161.tif 000017
【図１４】
2017528161.tif 000018
【図１５】
2017528161.tif 000019
【図１６】
2017528161.tif 000020
【図１７】
2017528161.tif 000021
【図１８】
2017528161.tif 000022
【図１９】
2017528161.tif 000023
【図２０】
2017528161.tif 000024
【図２１】
2017528161.tif 000025
【図２２（ａ）】
2017528161.tif 000026
【図２２（ｂ）】
2017528161.tif 000027
【図２３（ａ）】
2017528161.tif 000028
【図２３（ｂ）】
2017528161.tif 000029
【図２３（ｃ）】
2017528161.tif 000030
【図２４（ａ）】
2017528161.tif 000031
【図２４（ｂ）】
2017528161.tif 000032
【図２４（ｃ）】
2017528161.tif 000033
【図２５】
2017528161.tif 000034
【図２６】
2017528161.tif 000035
【図２７】
2017528161.tif 000036
【図２８】
2017528161.tif 000037
【図２９】
2017528161.tif 000038
【図３０】
2017528161.tif 000039
【図３１】
2017528161.tif 000040
【図３２（ａ）】
2017528161.tif 000041
【図３２（ｂ）】
2017528161.tif 000042
【図３２（ｃ）】
2017528161.tif 000043
【図３２（ｄ）】
2017528161.tif 000044
【図３３（ａ）】
2017528161.tif 000045
【図３３（ｂ）】
2017528161.tif 000046
【図３４（ａ）】
2017528161.tif 000047
【図３４（ｂ）】
2017528161.tif 000048
【図３５】
2017528161.tif 000049
【図３６（ａ）】
2017528161.tif 000050
【図３６（ｂ）】
2017528161.tif 000051
【図３６（ｃ）】
2017528161.tif 000052
【図３７】
2017528161.tif 000053
【図３８】
2017528161.tif 000054
【図３９】
2017528161.tif 000055
【図４０】
2017528161.tif 000056
【国際調査報告】
2017528161.tif 000057
2017528161.tif 000058
2017528161.tif 000059
2017528161.tif 000060